(57)【要約】【課題】  モードメモリ機能は装置ごとに設定する必要があるため、複数の装置にわたって使用するためには、装置ごとに設定する手間があった。また、モードメモリを用い、機能や設定を呼び出すには、ボタンを押す手間があり、また、そのボタンも階層になっているのが一般的なため、複数回のアクションが必要になる。【解決手段】  画像を入力する画像入力手段と、前記画像データにひとつ以上の処理を施す画像処理手段と、前記画像処理手段に処理された画像データを出力する出力装置を備える画像処理装置であって、前記画像処理装置に新たに提供されるデバイスにより、前記画像処理装置の処理機能を表示・設定する。【選択図】  図８
2006166215.tif 000002
【特許請求の範囲】
【請求項１】
画像を入力する画像入力手段と、
前記画像データにひとつ以上の処理を施す画像処理手段と、
前記画像処理手段に処理された画像データを出力する出力装置を備える画像処理装置であって、
前記画像処理装置に新たに提供されるデバイスにより、前記画像処理装置の処理機能を表示・設定することを特徴とする画像処理装置。
【請求項２】
前記デバイスは、読み書き可能であることを特徴とする請求項第１項に記載される画像処理装置。
【請求項３】
前記デバイスは、無線装置を用いて読み書き可能であることを特徴とする請求項第１項に記載される画像処理装置。
【請求項４】
前記デバイスは、無線装置を用いて読み書き可能であることを特徴とする請求項第１項に記載される画像処理装置。
【請求項５】
画像を入力する画像入力手段と、
前記画像データにひとつ以上の処理を施す画像処理手段と、
前記画像処理手段に処理された画像データを出力する出力手段と、
前記画像処理装置に新たに提供されるデバイスにより、前記画像処理装置の処理機能を表示・設定する設定手段を備える画像処理装置であって、
前記設定手段に先立ち、利用者の利用権の有無を判断する判断手段を有することを特徴とする画像処理装置。
【請求項６】
前記デバイスは、読み書き可能であることを特徴とする請求項第５項に記載される画像処理装置。
【請求項７】
前記デバイスは、無線装置を用いて読み書き可能であることを特徴とする請求項第５項に記載される画像処理装置。
【請求項８】
前記デバイスは、無線装置を用いて読み書き可能であることを特徴とする請求項第５項に記載される画像処理装置。
【請求項９】
画像を入力する画像入力手段と、
前記画像データにひとつ以上の処理を施す画像処理手段と、
前記画像処理手段に処理された画像データを出力する出力手段と、
前記画像処理装置に新たに提供されるデバイスにより、前記画像処理装置の処理機能を表示・設定する設定手段を備える画像処理装置であって、
前記設定手段は、前記デバイスに含まれるデータをもとに自動で判断し、表示・設定できることを特徴とする画像処理装置。
【請求項１０】
前記デバイスは、読み書き可能であることを特徴とする請求項第９項に記載される画像処理装置。
【請求項１１】
前記デバイスは、無線装置を用いて読み書き可能であることを特徴とする請求項第９項に記載される画像処理装置。
【請求項１２】
前記デバイスは、無線装置を用いて読み書き可能であることを特徴とする請求項第９項に記載される画像処理装置。
【請求項１３】
前記設定手段は、時間区分によって表示内容を変更可能であることを特徴とする請求項第９項に記載される画像処理装置。
【請求項１４】
画像を入力する画像入力手段と、
前記画像データにひとつ以上の処理を施す画像処理手段と、
前記画像処理手段に処理された画像データを出力する出力手段と、
前記画像処理装置に新たに提供されるデバイスにより、前記画像処理装置の処理機能を表示・設定する設定手段を備える画像処理装置であって、
前記デバイスに含まれるデータが唯一のとき、表示せずに、即座に設定する設定手段を有することを特徴とする画像処理装置。
【請求項１５】
前記デバイスは、読み書き可能であることを特徴とする請求項第１４項に記載される画像処理装置。
【請求項１６】
前記デバイスは、無線装置を用いて読み書き可能であることを特徴とする請求項第１４項に記載される画像処理装置。
【請求項１７】
前記デバイスは、無線装置を用いて読み書き可能であることを特徴とする請求項第１４項に記載される画像処理装置。
【請求項１８】
前記設定手段は、時間区分によって表示内容を変更可能であることを特徴とする請求項第１４項に記載される画像処理装置。
【発明の詳細な説明】
【技術分野】
【０００１】
本発明は、スキャナ、プリンタ、ファックス、ネットワークインターフェース、ユーザインターフェース、ファイルシステムを持つ画像処理装置に関する。
【背景技術】
【０００２】
従来、画像の入出力を行う画像処理装置として、いわゆるマルチファンクションデジタル複写機が知られている（図２参照）。このマルチファンクションデジタル複写機は、紙などに記録されている原稿画像を読み取るスキャナ、読み取った画像、あるいはホストコンピュータから送られてくる画像を紙などのメディアに出力するプリンタ、これらスキャナおよびプリンタの動作を制御したり、あるいは種々の画像処理を行うデバイスコントローラ、機器の操作を使用者に提供する操作部、画像データや処理プログラムを一時的あるいは恒久的に記憶するメモリおよびハードディスク等から構成される。
【０００３】
上記構成を有するマルチファンクションデジタル複写機では、単に原稿画像を複写するだけでなく、原稿画像に種々の画像処理を施して複写することも可能である。例えば、原稿の白黒を反転させるネガポジ反転処理、原稿の一部のみを複写するトリミング処理、複数の原稿を縮小して１枚の出力用紙上に合成する縮小レイアウト処理などの多様な処理を行うことができる。
【０００４】
また、原稿の複写以外にスキャナで読み込んだ画像データをＬＡＮ（ネットワーク）経由でホストコンピュータに転送したり、逆にホストコンピュータ上で、ワープロなどで作成した文書をプリンタにてプリント出力させたりことも可能である。また、原稿画像を遠隔地のファクシミリ装置に送信するファクシミリ送信機能を有していることが一般的である。
【０００５】
このような装置には、ユーザーの使い勝手の向上のため、頻繁に設定する機能を画像処理装置内に記憶させておき、必要なときにあらかじめ設定した設定を呼び出して使用する、たとえばモードメモリと呼ばれる機能が提案されている。
【０００６】
又、別の従来例としては、例えば特許文献１をあげることが出来る。
【特許文献１】特開２００３−１７３２４３号公報
【発明の開示】
【発明が解決しようとする課題】
【０００７】
しかしながら、これらの方法は以下の問題を持っている。
【０００８】
モードメモリ機能は装置ごとに設定する必要があるため、複数の装置にわたって使用するためには、装置ごとに設定する手間がある。また、モードメモリを用い、機能や設定を呼び出すには、ボタンを押す手間があり、また、そのボタンも階層になっているのが一般的なため、複数回のアクションが必要になる。
【０００９】
そこで、本発明の目的は、いずれの装置においても有効なモードメモリ機能を提供することである。また、その際に、ユーザーの作業の手間を減らし、効率化を推進する手段を提供するものである。
【課題を解決するための手段】
【００１０】
そこで本発明では、画像を入力する画像入力手段と、前記画像データにひとつ以上の処理を施す画像処理手段と、前記画像処理手段に処理された画像データを出力する出力装置を備える画像処理装置であって、前記画像処理装置に新たに提供されるデバイスにより、前記画像処理装置の処理機能を表示・設定することを特徴とする画像処理装置であって、新たに提供されるデバイスにより、画像処理装置の機能を表示・設定することで、ユーザーの操作性を向上させた画像処理装置を提供できる。
【発明の効果】
【００１１】
以上のように、特定機能情報を画像処理装置側に持つのではなく、持ち運びできるデバイス側に保持することで、機種ごとに特定機能情報を設定する必要がなくなる。
【００１２】
また、デバイスに保持し、そこから画像処理装置に特定情報を提供するため、提供すると同時にその情報を自動で呼び出すことが可能となり、特定情報を呼ぶ出す手間も省ける。
【００１３】
さらに、非接触ＩＤタグを利用することで、画像処理装置に近付くだけで、特定情報を自動で呼び出すことが可能となり、ユーザーの作業の手間を減らし、効率化を推進することができる。
【発明を実施するための最良の形態】
【００１４】
［第１の実施例］
以下、本発明の一実施例を、図面を用いて説明する。
【００１５】
図１は第１の実施形態における画像処理システムの構成を示す図である。図において、１０１はインターネット等の通信網である。１０２はハードウェアやソフトウェアのサポートセンタである。１０３はハードウェアやソフトウェアの販売会社である。１０４はウェブサーバであり、インターネットに接続され、インターネットユーザに特定のサービスを提供する。１０５は金融機関１０６と消費者であるクライアントとの間の決済処理等を行う電子マネーサーバである。１０７は個人ユーザーの端末とインターネット１０１との接続処理を行うサービスプロバイダである。１０８はファイアウォールであり、外部通信網であるインターネット１０１とＬＡＮ内部とを接続し、セキュリティ管理などを行う。１０９はＬＡＮ（ネットワーク）に接続されたファイルサーバ１１０、メールサーバ１１１、パソコン（ＰＣ）１１２、プリンタ１１３等の各機器の管理、ユーザー管理、課金情報等のデータ管理などを行う機器管理サーバである。１１０はデータ管理などを行うファイルサーバであり、必要に応じてマルチファンクションデジタル複写機２００やプリンタ１１３にデータを出力する。
【００１６】
図２はマルチファンクションデジタル複写機２００の構成を示すブロック図である。このマルチファンクションデジタル複写機（単に、ＭＦＰという）２００は、紙などに記録されている原稿画像を読み取るスキャナ２０２、読み取った画像、あるいはＬＡＮ１２１を介して送られてくる画像を紙などのメディアに出力するプリンタ２０３、これらスキャナ、プリンタの動作を制御したり、あるいは種々の画像処理を行うデバイスコントローラ２０４、機器の操作を使用者に提供する操作部２０１、画像データや処理プログラムを一時的あるいは恒久的に記憶するメモリ２０５およびハードディスク２０６等から構成される。ＭＦＰ２００は、インターネットが普及した現在、特定のネットワーク（ＬＡＮ）内に留まらず、ファイアウォール１０８を介して広く世界中と繋がっている。
【００１７】
図３はマルチファンクションデジタル複写機２００の構造を示す断面図である。このマルチファンクションデジタル複写機２００は、リーダ部２２０およびプリンタ部２３０から構成される。リーダ部２２０の原稿給送装置３０１は、原稿を最終頁から順に１枚ずつプラテンガラス３０２上に給送し、原稿の読み取り動作終了後、プラテンガラス３０２上の原稿を排出する。原稿がプラテンガラス３０２上に搬送されると、ランプ３０３を点灯し、スキャナユニット３０４の移動を開始させて原稿を露光走査する。
【００１８】
このとき、原稿からの反射光は、ミラー３０５、３０６、３０７およびレンズ３０８によってＣＣＤイメージセンサ（以下、ＣＣＤという）３０９に導かれる。このように走査された原稿の画像は、ＣＣＤ３０９によって読み取られる。ＣＣＤ３０９から出力される画像データは、所定の処理が施された後、プリンタ部２３０に転送される。
【００１９】
プリンタ部のレーザドライバ３１０は、レーザ発光部３１１を駆動するものであり、リーダ部２２０から出力された画像データに応じた光をレーザ発光部３１１に発光させる。このレーザ光は感光ドラム３１２に照射され、感光ドラム３１２にはレーザ光に応じた潜像が形成される。この感光ドラム３１２の潜像部分には、現像器３１３によって現像剤が付着する。そして、レーザ光の照射開始と同期したタイミングで、カセット３１４、３１５のいずれかから記録紙を給紙して転写部３１６に搬送し、感光ドラム３１２に付着した現像剤を記録紙に転写する。
【００２０】
現像剤が付着した記録紙は定着部３１７に搬送され、定着部３１７の熱と圧力により現像剤は記録紙に定着する。定着部３１７を通過した記録紙は、排出ローラ３１８によって排出され、ソータ３２１は、仕分けが設定されていない場合、最上ピンに記録紙を収納する。また、両面記録が設定されている場合、排出ローラ３１８の所まで記録紙を搬送した後、排出ローラ３１８の回転方向を逆転させ、フラッパ３１９によって再給紙搬送路に導く。多重記録が設定されている場合、記録紙を排出ローラ３１８まで搬送しないように、フラッパ３１９によって再給紙搬送路３２０に導く。再給紙搬送路に導かれた記録紙は、上記タイミングで転写部３１６に給紙される。
【００２１】
上記構成を有するＭＦＰ２００では、ユーザーは操作部２０１から操作し、スキャナ２０２は操作部２０１やパソコン１１２からの指示に従って、画像を入力する。プリンタ１１３はパソコン１１２やファイルサーバ１１０からのデータを印刷する。
【００２２】
デバイスコントローラ２０４は、操作部２０１やパソコン１１２からの指示に従って、スキャナ２０２、プリンタ２０３、メモリ２０５、ハードディスク２０６、あるいはパソコン１１２との間で画像データの入出力制御を行う。例えば、スキャナ２０２から取り込んだ画像データをメモリ２０５やハードディスク２０６に必要に応じて蓄積したり、パソコン１１２に出力したり、あるいはプリンタ２０３で印刷する等の制御を行う。
【００２３】
プリンタ１１３は、パソコン１１２やファイルサーバ１１０からの画像データを記録用紙に印刷する。パソコン１１２は端末装置としてＬＡＮ１２１に接続され、インターネット１０１を介してウェブサーバ１０４から提供された情報を閲覧したり、画像データをＭＦＰ２００やプリンタ１１３に出力する。尚、ファイアウォール１０８の内側にＬＡＮ１２１が接続されている上記構成に限らず、サービスプロバイダ１０７を介してインターネット１０１に繋がる個人ユーザーのＰＣがファイアウォールの内側に接続される構成であってもよい。
【００２４】
このようなＭＦＰ２００には、ユーザーの使い勝手の向上のため、頻繁に設定する機能を画像処理装置内に記憶させておき、必要なときにあらかじめ設定した設定を呼び出して使用する、たとえばモードメモリと呼ばれる機能が提案されている。
【００２５】
図４、図５、図６を用いて、モードメモリの一例を説明する。
【００２６】
図４は操作部２０１の一部を示している。画面４００は、ローカルコピー時の画面の一例である。ボタン４０１、４０２、４０３は処理動作の種類を表示するボタンである。コピー時には、コピー表示４０１が反転し、選択されていることを明示している。ファックスなどの送信系の処理の場合は、送信表示４０２が反転する。データ保存などのボックス処理の場合は、ボックス表示４０３が反転し、その処理が実施されていることを明示している。ステータス表示部４０４は、現在の設定を表示する表示部である。ボタン４０５、４０６は、変倍の倍率設定を行うボタンである。たとえば２００％拡大したい場合や５０％縮小したい場合には、倍率ボタン４０６を押し、図示しない設定画面に移動し、倍率を設定する。倍率設定時、等倍に戻すには、等倍ボタン４０５を押せば良い。用紙選択ボタン４０７は、使用する用紙サイズを設定するボタンで、カセット３１４、３１５を選択したり、手差し選択したりすることが可能である。画像モードボタン４０８は、コピー時の画質を選択するボタンで、文字だけの原稿をコピーするには、文字処理を最適にした文字モードを選択するのが好ましく、写真だけの原稿をコピーするには、写真処理を最適にした写真モードを選択するのが好ましい。ソータボタン４０９は、ソータ３２１のソータ方法を設定するボタンである。両面ボタン４１０は両面コピーの設定を行うボタンである。応用モードボタン４１１は、操作部に表示されないその他の機能を設定するボタンである。
【００２７】
応用モードボタン４１１を押すと、応用モード画面４２０に移動する。その一例を説明する。応用モード画面４２０には、４つの機能が表示されている。コピー画像のシャープネスを変更するためのシャープネス調整ボタン４２１。複数の画像を合成する画像合成ボタン４２２。画像のトリミングを行うトリミングボタン４２３。モードや設定を記憶するモードメモリボタン４２４。表示されていないその他の機能を選択するため、次の画面に移動するための次のページボタン４２５がある。
【００２８】
モードメモリボタン４２４を選択すると、モードメモリ画面４４０に移動する。モードメモリ画面４４０には、ステータスを表示するステータス画面４４１、モードを記憶するモードボタン４４２、モードを登録するための登録ボタン４４３、登録されているモードを消去するための消去ボタン４４４、登録されているモードの内容を編集する編集ボタン４４５、画面をキャンセルするためのキャンセルボタン４４６、登録の変更や画面をＯＫするためのＯＫボタン４４７がある。モードボタン４４２は９個表示しているが、この限りではない。
【００２９】
モードメモリに登録する方法を図５にて説明する。モードメモリ画面５００にて、モードメモリボタンＭ１（５０１）を選択する。ステータス表示部５０２には、モードメモリボタンＭ１が選択されたことが表示され、その内容が表示部５０３に表示される。モードメモリボタンＭ１には何も登録されていないため、未登録と表示されている。モードメモリは、現在の設定を指定したモードメモリボタンに記憶する機能なので、図４に示される現在の設定４０４が記憶される。現在の設定は、ローカルコピー動作で、倍率５０％、用紙選択はオート用紙、コピー枚数は６枚である。登録ボタン５０４を押すと、この設定情報がモードメモリＭ１の設定内容として記憶される。そのとき、ステータス表示部５０２、５０３が画面５１０のようにポップアップし（５１１）、登録内容を確認することができる。この内容をモードメモリＭ１に登録したければはいボタン５１４を押す。登録したくない場合には、いいえボタン５１３を押せば良い。はいボタン５１４を押すと、画面５２０に移動する。登録内容がステータス表示部５２１に表示される。
【００３０】
モードメモリを使う方法を図６にて説明する。画面６００は初期画面を示し、ステータス表示部６０１に現在の設定情報が示されている。応用モードボタン６０２を押し、応用モード画面６１０に移動する。モードメモリボタンの中から希望する設定Ｍ１（６１１）を選択する。選択すると、表示部６１２に登録内容が表示される。表示内容が所望する設定と合致する場合、ＯＫボタン６１３を押す。画面は元に戻り、画面６２０が表示される。そとのき、設定した機能がステータス表示部６２１に示されるとともに、ＭＦＰ２００はその動作が可能な状態になっている。
【００３１】
モードメモリは、設定を記憶させておけるため、同じ設定を頻繁に使う場合に非常に有効である。特に、複雑な設定を行った場合に有効である。
【００３２】
しかしながら、モードメモリ機能は装置ごとに設定する必要があるため、複数の装置にわたって使用するためには、装置ごとに設定しなくてはならない。また、モードメモリを用い、機能や設定を呼び出すには、ボタンを押す手間があり、また、そのボタンも階層になっているのが一般的なため、複数回のアクションが必要になる。
【００３３】
そこで、本発明の目的は、いずれの装置においても有効なモードメモリ機能を提供することである。また、その際に、ユーザーの作業の手間を減らし、効率化を推進する手段を提供するものである。
【００３４】
第一の実施例では、コピーカードのような記憶デバイスにモードメモリ機能を持たせ、保持する方法を説明する。図７に例を示す。コピーカード７００の裏面７１０に情報を記憶できる磁気部７１１がある。この部分に、各種設定を保持する。たとえば、図７の７２０に示すように、モードをはじめとする各種設定を保持する。図７ではコピー動作を想定して表示しているが、これに限るものではない。ＭＦＰ２００が実現しうる処理や機能に関する情報を保持することが望ましい。
【００３５】
図８に実際の処理構成を示す。ＭＦＰ２００にある図示していないカードスロットにコピーカード７００を挿入する（８０２）。カード７００が挿入されると、ＭＦＰ２００のデバイスコントローラ２０４は、コピーカード７００の磁気部７１１に記憶される設定情報を確認する（８０３）。設定情報の中にモードメモリに関する情報があれば、モード表示（８０４）する。関係する情報がない場合は、モードメモリがないことを表示（８０８）し、初期画面を表示する（８０９）。この際、モードメモリがないことを表示せずに初期画面を表示しても良い。モード表示（８０４）は、画面４４０のような表示を行い、ユーザーは、先に説明したモードメモリの設定方法に従い、モードメモリ種類を選択する。選択されると、デバイスコントローラ２０４は、記憶されている設定通りに設定し、表示する（８０４）。たとえば、画面６１０のような表示を行う。ユーザーはこの表示通りの処理を行いたければＯＫボタン６１３を選択し、処理を行う。処理を変更したい場合は、キャンセルボタン６１４を選択する。ユーザー選択８０５でＮｏが選択されると、初期設定（８０９）が表示される。ユーザーは、そのまま処理を実行しても良いし、新たに設定しても良い。
【００３６】
カード内にモードメモリの設定がひとつしかない場合は、画面４４０を表示せず、設定情報をすぐに設定することが望ましい。ユーザーはモード選択をすることなく、モードメモリに記憶した設定を使えるため、利便性が向上する。
【００３７】
本実施例では、モードメモリのように、あらかじめ設定した機能を選択できる構成にしているが、さらに、最後に使用した設定をコピーカード７００に記憶しておき、その設定を呼び出す構成にしても良い。また、最後に使用した設定を、自動でモードメモリに登録する構成にしても良い。さらに、モードメモリを自動的に起動させる処理を解除し、従来のように自ら呼び出す手動の方法に切り替えられるようにしておいても良い。
【００３８】
なお、上記実施形態では、デジタル処理を行うＭＦＰ２００の場合を示したが、アナログ処理を行うＭＦＰであっても、コピーカード７００を読み取るインターフェースを備えたデバイスコントローラを搭載している限り、同様に適用可能である。
【００３９】
また、コピー動作に関して説明したが、これに限るものではない。ファックスや電子メール、画像のボックス保存やプリントなどにも適応できる。
【００４０】
また、コピーカードのような記憶デバイスは、書き換え可能なデバイスであれば磁気記録に限るものではない。ＩＣカードやフラッシュメモリのようなデバイスでも良い。
【００４１】
以上のように、コピーカードのような記憶デバイスにモードメモリ機能を持たせ、記憶デバイス側に設定情報を保持することで、ユーザーはどの装置においてもモードメモリに登録した設定を利用できる。また、自動で表示することで、モードメモリを呼び出す手間が省け、効率よく作業が行える。
【００４２】
［第２の実施例］
第２の実施形態では、セキュリティーを鑑みた構成とする。
【００４３】
図９に示すようなＩＤカード９００裏面９１０に情報を記憶できる磁気部９１１がある。この部分に、各種設定、ＩＤ情報を保持する。たとえば、図９の９２０に示すように、モードをはじめとする各種設定を保持する。図９ではコピー動作を想定して表示しているが、これに限るものではない。ＭＦＰ２００が実現しうる処理や機能に関する情報を保持することが望ましい。
【００４４】
図１０に実際の処理構成を示す。ＭＦＰ２００にある図示していないカードスロットにＩＤカード９００を挿入する（１００２）。カード９００が挿入されると、ＭＦＰ２００のデバイスコントローラ２０４は、ＩＤカード９００の磁気部９１１に記憶されるＩＤ情報を確認する（１００３）。ユーザーＩＤ９２１を読み取り、あらかじめ登録されたユーザーであるかを認証し、ＯＫであれば、情報チェック１００４を行う。Ｎｏであれば、エラー表示（１００９）を行い、終了する。エラー表示には、認証できないことなどを表示する。
【００４５】
このときのユーザーに認証のセキュリティーレベルは、段階的に設定できることが望ましい。上記の説明では、あらかじめＭＦＰ本体に登録したユーザーＩＤと合致するかを見る単純なものであるが、ＩＤ照合時にパスワードを要求し、パスワードと合致するかを見る構成にしても良い。パスワードは、ＭＦＰに登録しておいても良いしＩＤカード内に暗号化して保存しておいても良い。
【００４６】
また、ＭＦＰ２００はネットワークとのインターフェースを持つので、ネットワークへのログインＩＤとそのパスワードを認証に用いても良い。特に、機密情報漏洩の観点からすると、ネットワークを介在する機能に関しては、厳しくすることが望ましい。その観点では、ローカルコピー時とネットワーク介在処理（たとえばファイルの電子メール添付など）はセキュリティーレベルに差異を設け、ＩＤ照合の方法を変えても良い。
【００４７】
ＩＤ照合でＯＫされたら、ＩＤカード９００の磁気部９１１に記憶される設定情報を確認する（１００４）。設定情報の中にモードメモリに関する情報があれば、モード表示（１００５）する。関係する情報がない場合は、モードメモリがないことを表示（１０１０）し、初期画面を表示する（１０１１）。この際、モードメモリがないことを表示せずに初期画面を表示しても良い。モード表示（１００５）は、画面４４０のような表示を行い、ユーザーは、先に説明したモードメモリの設定方法に従い、モードメモリ種類を選択する。選択されると、デバイスコントローラ２０４は、記憶されている設定通りに設定し、表示する（１００５）。たとえば、画面６１０のような表示を行う。ユーザーはこの表示通りの処理を行いたければＯＫボタン６１３を選択し、処理を行う。処理を変更したい場合は、キャンセルボタン６１４を選択する。ユーザー選択１００６でＮｏが選択されると、初期設定（１０１１）が表示される。ユーザーは、そのまま処理を実行しても良いし、新たに設定しても良い。
【００４８】
カード内にモードメモリの設定がひとつしかない場合は、画面４４０を表示せず、設定情報をすぐに設定することが望ましい。ユーザーはモード選択をすることなく、モードメモリに記憶した設定を使えるため、利便性が向上する。
【００４９】
本実施例では、モードメモリのように、あらかじめ設定した機能を選択できる構成にしているが、さらに、最後に使用した設定をＩＤカード９００に記憶しておき、その設定を呼び出す構成にしても良い。また、最後に使用した設定を、自動でモードメモリに登録する構成にしても良い。さらに、モードメモリを自動的に起動させる処理を解除し、従来のように自ら呼び出す手動の方法に切り替えられるようにしておいても良い。
【００５０】
なお、上記実施形態では、デジタル処理を行うＭＦＰ２００の場合を示したが、アナログ処理を行うＭＦＰであっても、ＩＤカード９００を読み取るインターフェースを備えたデバイスコントローラを搭載している限り、同様に適用可能である。
【００５１】
また、コピー動作に関して説明したが、これに限るものではない。ファックスや電子メール、画像のボックス保存やプリントなどにも適応できる。
【００５２】
また、コピーカードのような記憶デバイスは、書き換え可能なデバイスであれば磁気記録に限るものではない。ＩＣカードやフラッシュメモリのようなデバイスでも良い。
【００５３】
以上のように、コピーカードのような記憶デバイスにモードメモリ機能を持たせ、記憶デバイス側に設定情報を保持することで、ユーザーはどの装置においてもモードメモリに登録した設定を利用できる。また、自動で表示することで、モードメモリを呼び出す手間が省け、効率よく作業が行える。さらに、セキュリティーチェック機能を付加することで、安全性も向上する。
【００５４】
［第３の実施例］
第３の実施形態では、非接触ＩＤタグを用い、モードメモリ設定をさらに簡素化する方法を説明する。
【００５５】
『非接触ＩＣタグの説明』
図１１は非接触ＩＣタグ１１００の構成を示す平面図である。
【００５６】
同図において非接触ＩＣタグ１１００は、プラスチック等の非接触ＩＣタグ基盤１１０１に非接触ＩＣタグ・アンテナパターン１１０２を形成し、アンテナパターン１１０２とＩＣチップ１１０３に内蔵された容量素子とにより共振回路を形成している。共振回路は、後述するＩＣリーダライタから一定の周波数の電波を受信すると、メモリに記憶している情報を発信源であるリーダライタに送信して返す。
【００５７】
アンテナパターン１１０２は、コイル形状で導通部材１１０４により非接触ＩＣタグ基盤１１０１の裏面でジャンピング回路を形成して、コイル接続素子１１０５によりＩＣチップ１１０３の裏面のバンプまたはパッドに接続している。このような非接触ＩＣタグ１１００は、非接触ＩＣタグ基盤１１０１にラミネートしたアルミ箔等の金属箔をフォトエッチングやレジスト印刷後のエッチングによりコイル状としてアンテナパターン１１０２を形成し、ＩＣチップ１１０３を装着して形成することができる。その大きさも２０ｍｍ×２０ｍｍ以下のサイズにできるが、非接触ＩＣタグ１１００の外形および寸法は特に制限はない。
【００５８】
『ＩＣリーダライタ１２００の詳細説明』
図１２はＩＣリーダライタ１２００の構成を示すブロック図であり、ＩＣリーダライタ１２００は画像入出力装置１２１１に組み込まれるか、画像入出力装置１２１１と外部接続される。ここでは外部接続される場合の例を示す。
【００５９】
同図においてＩＣリーダライタ１２００は、大きく分けてアンテナ部、変復調回路部、制御部、アプリケーション部から構成されている。
【００６０】
１２０１はアンテナ部であり、このアンテナ部１２０１によって非接触ＩＣタグ１１００と非接触交信を行う。
【００６１】
１２０２は変復調回路部であり、非接触交信により送受信するデータの変換を行う。非接触ＩＣタグ１１００からデータをリードする際には、非接触交信を行って得たデータを、画像入出力装置１２１１で使用可能なデータに変換し、非接触ＩＣタグ１１００へデータをライトする際には、非接触交信を行えるよう、画像入出力装置１２１１のデータから変換を行う。
【００６２】
１２０３は制御部であり、マイコン又は専用の制御回路になっており、後述するアプリケーション部１２０４を制御する。
【００６３】
１２０４はアプリケーション部であり、リードオンリーメモリ（ＲＯＭ）１２０５及びランダムアクセスメモリ（ＲＡＭ）１２０６、マイクロコントーラーユニット（ＭＣＵ）１２０７を備え、非接触ＩＣタグ１１００から受信したデータを受信・解析し、表示部１２０８へ所定事項を表示させることができる。また操作部１２０９の操作により受信データのデータ編集なども行うことが可能である。非接触ＩＣタグ１１００へ送信する際には送信データを表示したり、操作キー入力により入力されたデータを処理したり、送信をすることもできる。
【００６４】
このようにＩＣリーダライタ単体で受信データの表示・編集、送信データの表示・編集を行うことが可能である。
【００６５】
画像入出力装置１２１１とは、外部インターフェース１２１０を使用することで、送受信データの表示・編集を行うこが可能になる。
【００６６】
画像入出力装置１２１１内に組み込む場合には、ＲＯＭ１２０５，ＲＡＭ１２０６、ＭＣＵ１２０７，表示部１２０８、操作部１２０９を画像入出力装置１２１１内の同等処理モジュールで代用する構成としても構わない。
【００６７】
非接触ＩＤタグ１１００には、図１３に示すような各種設定情報１３００を記録することができる。ユーザーＩＤ１３０１をはじめとする各種設定情報を保持することができる。図１３ではコピー動作を想定して表示しているが、これに限るものではない。ＭＦＰ２００が実現しうる処理や機能に関する情報を保持することが望ましい。
【００６８】
図１４に実際の処理構成を示す。非接触ＩＤタグ１１００を有するユーザーがＭＦＰ２００に近付くと、ＭＦＰ２００に付属するＩＣリーダライタ１２００がそれを検知する（１４０２）。非接触ＩＤタグ１１００を検知すると、即座にＩＤ照合（１４０３）を行う。ユーザーＩＤ１３０１を読み取り、あらかじめ登録されたユーザーであるかを認証し、ＯＫであれば、非接触ＩＤタグ１１００に含まれる情報のチェックを行う（１４０４）。Ｎｏであれば終了する。
【００６９】
情報チェック１４０４で、設定情報の中にモードメモリに関する情報があれば、モード表示（１４０５）する。関係する情報がない場合は、モードメモリがないことを表示（１４１０）し、初期画面を表示する（１４１１）。この際、モードメモリがないことを表示せずに初期画面を表示しても良い。モード表示（１４０５）は、画面４４０のような表示を行い、ユーザーは、先に説明したモードメモリの設定方法に従い、モードメモリ種類を選択する。選択されると、デバイスコントローラ２０４は、記憶されている設定通りに設定し、表示する（１４０５）。たとえば、画面６１０のような表示を行う。ユーザーはこの表示通りの処理を行いたければＯＫボタン６１３を選択し、処理を行う。処理を変更したい場合は、キャンセルボタン６１４を選択する。ユーザー選択１４０６でＮｏが選択されると、初期設定（１４１１）が表示される。ユーザーは、そのまま処理を実行しても良いし、新たに設定しても良い。
【００７０】
非接触ＩＤタグ１１００のモードメモリの設定がひとつしかない場合は、画面４４０を表示せず、設定情報をすぐに設定することが望ましい。ユーザーはモード選択をすることなく、モードメモリに記憶した設定を使えるため、利便性が向上する。
【００７１】
本実施例では、モードメモリのように、あらかじめ設定した機能を選択できる構成にしているが、さらに、最後に使用した設定を非接触ＩＤタグ１１００に記憶しておき、その設定を呼び出す構成にしても良い。また、最後に使用した設定を、自動でモードメモリに登録する構成にしても良い。さらに、モードメモリを自動的に起動させる処理を解除し、従来のように自ら呼び出す手動の方法に切り替えられるようにしておいても良い。
【００７２】
なお、上記実施形態では、デジタル処理を行うＭＦＰ２００の場合を示したが、アナログ処理を行うＭＦＰであっても、非接触ＩＤタグ１１００を読み取るインターフェースを備えたデバイスコントローラを搭載している限り、同様に適用可能である。
【００７３】
また、コピー動作に関して説明したが、これに限るものではない。ファックスや電子メール、画像のボックス保存やプリントなどにも適応できる。
【００７４】
また、非接触ＩＤタグ１１００のような記憶デバイスは、書き換え可能なデバイスであればこれに限るものではない。
【００７５】
以上のように、非接触ＩＤタグ１１００のような非接触記憶デバイスにモードメモリ機能を持たせ、記憶デバイス側に設定情報を保持することで、ユーザーはどの装置においてもモードメモリに登録した設定を利用できる。また、非接触ＩＤタグを用いることで、装置に近付くだけで、自動表示および設定することができ、モードメモリを呼び出す手間が省け、効率よく作業が行える。さらに、セキュリティーチェック機能を付加することで、安全性も向上する。
【００７６】
［第４の実施例］
第４の実施形態では、処理の履歴情報によって表示画面を変更する方法を説明する。
【００７７】
第１、第２、第３の実施例において、操作部２０１に表示する画面情報は、モードメモリに設定される情報に基づいて表示する例を示したが、第４の実施例では、コピーカード７００、ＩＤカード９００、非接触ＩＤタグ１１００などの記憶デバイスに、ＭＦＰ２００の使用履歴を残し、その履歴情報から最適な表示を推測し、表示するシステムの例を説明する。
【００７８】
図１５は、記録媒体１５００に残す履歴情報１５１０の例を示している。使用した機能組み合わせごとに、その履歴情報を１５１１、１５１２、１５１３と頻度ごとに残す。履歴情報１５１１は、Ｆａｘ機能を示し、同一宛先に１００回送信を行っていることを示す。このようにして、機能と頻度に関する履歴を残す。
【００７９】
第１、第２、第３の実施例の処理構成の説明において、情報チェックにてＹｅｓの場合、モード表示の処理を実行する説明をしたが、図１６に示すように、情報チェック１６０４とモード表示１６０５との間に履歴情報から頻度を解析する頻度解析処理１６１２を実行する。そこで頻度が高い処理を優先的に表示する構成をとる。このとき、頻度が一番高い機能をすぐに設定する構成をとっても良いし、ユーザーが頻度の高い機能から希望の機能を選択できる構成をとっても良い。
【００８０】
このような構成にすることで、たとえば縮小コピーを頻繁にとるユーザーがいた場合、カードを差し込んだり、非接触ＩＤタグの場合には近付いたりするだけで縮小コピーを取る設定がなされ、ユーザーは原稿を原稿台に置き、スタートボタンを押すだけで良いことになり、業務の効率化に寄与できる。
【００８１】
さらには、使用頻度に対し、時間帯を含めて頻度解析を行えば、一日の中で行うルーチンワークなどに関して効率化が図れる。たとえば、特定の宛先に、必ず朝晩、ファックス送信を行うユーザーがいた場合、カードを差し込んだり、非接触ＩＤタグの場合には近付いたりするだけで、送信方法や送信先が設定される。それ以外の時間帯は、たとえばコピー設定が表示される。その結果、ユーザーは、原稿を原稿台に置き、スタートボタンを押すだけで良いことになり、業務の効率化に寄与できる。
【００８２】
本実施例では、ファックス送信とコピーを例にあげたが、この限りではない。
【図面の簡単な説明】
【００８３】
【図１】本発明を実施する構成の一例を示すブロック図。
【図２】マルチファンクションデジタル複写機２００の構成を示すブロック図。
【図３】マルチファンクションデジタル複写機２００の構造を示す断面図。
【図４】従来の処理を説明する図。
【図５】従来の処理を説明する図。
【図６】従来の処理を説明する図。
【図７】本発明に適用される第１の実施例の処理例を説明する図。
【図８】本発明に適用される第１の実施例の処理構成を説明する図。
【図９】本発明に適用される第２の実施例の処理例を説明する図。
【図１０】本発明に適用される第２の実施例の処理構成を説明する図。
【図１１】本発明に適用される第３の実施例のデバイス例を説明する図。
【図１２】本発明に適用される第３の実施例のシステム構成例を説明する図。
【図１３】本発明に適用される第３の実施例の処理例を説明する図。
【図１４】本発明に適用される第３の実施例の処理例を説明する図。
【図１５】本発明に適用される第４の実施例の処理例を説明する図。
【図１６】本発明に適用される第４の実施例の処理構成を説明する図。
【図１】
2006166215.tif 000003
【図２】
2006166215.tif 000004
【図３】
2006166215.tif 000005
【図４】
2006166215.tif 000006
【図５】
2006166215.tif 000007
【図６】
2006166215.tif 000008
【図７】
2006166215.tif 000009
【図８】
2006166215.tif 000010
【図９】
2006166215.tif 000011
【図１０】
2006166215.tif 000012
【図１１】
2006166215.tif 000013
【図１２】
2006166215.tif 000014
【図１３】
2006166215.tif 000015
【図１４】
2006166215.tif 000016
【図１５】
2006166215.tif 000017
【図１６】
2006166215.tif 000018